(57)【要約】【課題】水処理を効果的に行うことができる水処理システムを提供すること。【解決手段】水処理システム１は、海中Ｑ１に設置され、水流ＷＳを形成する水流形成部２と、水流ＷＳが形成された海中Ｑ１に対して処理を施す水処理剤３１を放出する放出部３と、を備えている。水流形成部２は、海中Ｑ１を仕切る仕切り部４を有し、仕切り部４により、水流ＷＳが上下方向に蛇行することができる。また、海中Ｑ１には、水流ＷＳが上方から下方に向かって転換するか、または、下方から上方に向かって転換する方向転換部Ｑ５が形成されている。そして、放出部３は、方向転換部Ｑ５に臨んで設置されている。【選択図】図１
2020032377.tif 000002
【特許請求の範囲】
【請求項１】
菌数管理が必要な水域に設置され、水中に水流を形成する水流形成部と、
前記水流が形成された前記水域に対して処理を施す水処理成分を放出する放出部と、を備えることを特徴とする水処理システム。
【請求項２】
前記水流形成部は、対象水域の流れを仕切る仕切り部を有し、該仕切り部により、前記水流が上下方向に蛇行する請求項１に記載の水処理システム。
【請求項３】
前記水域には、前記水流が上方から下方に向かって転換するか、または、下方から上方に向かって転換する方向転換部が形成され、
前記放出部は、前記方向転換部に臨んで設置される請求項２に記載の水処理システム。
【請求項４】
前記仕切り部は、水平方向に沿って複数配置されており、
隣り合う前記仕切り部同士は、前記水中での配置高さが異なる請求項２または３に記載の水処理システム。
【請求項５】
隣り合う前記仕切り部同士のうちの一方の前記仕切り部は、その上部が水面に浮いて設置され、他方の前記仕切り部は、その下部が水底に接して設置されている請求項４に記載の水処理システム。
【請求項６】
前記仕切り部は、上下方向に沿って設置されるスクリーンと、前記スクリーンの上部に接続された浮きと、前記スクリーンの下部に接続された錘とを有する請求項２ないし５のいずれか１項に記載の水処理システム。
【請求項７】
隣り合う前記仕切り部同士のうちの一方の前記仕切り部は、その上部が水面に浮いて設置され、他方の前記仕切り部は、その下部が水底に接して設置されており、
前記放出部は、前記一方の仕切り部に対しては、前記錘に接続され、前記他方の仕切り部に対しては、前記浮きに接続される請求項６に記載の水処理システム。
【請求項８】
前記水処理成分は、大腸菌群、腸球菌および一般細菌のうちの少なくとも１つに対して殺菌効果を発揮する殺菌成分を含む請求項１ないし７のいずれか１項に記載の水処理システム。
【請求項９】
前記殺菌成分は、二酸化塩素を含むか、または、二酸化塩素を発生させるものである請求項８に記載の水処理システム。
【請求項１０】
菌数管理が必要な水域に設置され、水中に水流を形成する水流形成部を備え、
前記水流形成部は、抗菌性を有し、対象水域の流れを仕切る仕切り部を有することを特徴とする水処理システム。
【請求項１１】
当該水処理システムは、海の沿岸部近傍に設置されるものである請求項１ないし１０のいずれか１項に記載の水処理システム。
【発明の詳細な説明】
【技術分野】
【０００１】
本発明は、水処理システムに関する。
【背景技術】
【０００２】
例えば、海洋や河川等の水面には、船舶等から漏洩・流出した油が浮いている場合がある。この場合、油回収装置、すなわち、オイルフェンスを用いて、油を吸着して回収することがある（例えば、特許文献１参照）。
【０００３】
しかしながら、特許文献１に記載の油回収装置は、水面に浮いた油を回収することができるが、例えば、水中内を浮遊しているゴミ等を回収することはできない。さらに、水中の大腸菌群、腸球菌および一般細菌等の菌も除去することはできない。そのため、遊泳時やウォータースポーツ時において衛生上問題がある。
【先行技術文献】
【特許文献】
【０００４】
【特許文献１】特開２０１７−１３６９００号公報
【発明の概要】
【発明が解決しようとする課題】
【０００５】
本発明の目的は、水処理を効果的に行うことができる水処理システムを提供することにある。
【課題を解決するための手段】
【０００６】
このような目的は、下記（１）〜（１１）の本発明により達成される。
（１）  菌数管理が必要な水域に設置され、水中に水流を形成する水流形成部と、
前記水流が形成された前記水域に対して処理を施す水処理成分を放出する放出部と、を備えることを特徴とする水処理システム。
【０００７】
（２）  前記水流形成部は、対象水域の流れを仕切る仕切り部を有し、該仕切り部により、前記水流が上下方向に蛇行する上記（１）に記載の水処理システム。
【０００８】
（３）  前記水域には、前記水流が上方から下方に向かって転換するか、または、下方から上方に向かって転換する方向転換部が形成され、
前記放出部は、前記方向転換部に臨んで設置される上記（２）に記載の水処理システム。
【０００９】
（４）  前記仕切り部は、水平方向に沿って複数配置されており、
隣り合う前記仕切り部同士は、前記水中での配置高さが異なる上記（２）または（３）に記載の水処理システム。
【００１０】
（５）  隣り合う前記仕切り部同士のうちの一方の前記仕切り部は、その上部が水面に浮いて設置され、他方の前記仕切り部は、その下部が水底に接して設置されている上記（４）に記載の水処理システム。
【００１１】
（６）  前記仕切り部は、上下方向に沿って設置されるスクリーンと、前記スクリーンの上部に接続された浮きと、前記スクリーンの下部に接続された錘とを有する上記（２）ないし（５）のいずれかに記載の水処理システム。
【００１２】
（７）  隣り合う前記仕切り部同士のうちの一方の前記仕切り部は、その上部が水面に浮いて設置され、他方の前記仕切り部は、その下部が水底に接して設置されており、
前記放出部は、前記一方の仕切り部に対しては、前記錘に接続され、前記他方の仕切り部に対しては、前記浮きに接続される上記（６）に記載の水処理システム。
【００１３】
（８）  前記水処理成分は、大腸菌群、腸球菌および一般細菌のうちの少なくとも１つに対して殺菌効果を発揮する殺菌成分を含む上記（１）ないし（７）のいずれかに記載の水処理システム。
【００１４】
（９）  前記殺菌成分は、二酸化塩素を含むか、または、二酸化塩素を発生させるものである上記（８）に記載の水処理システム。
【００１５】
（１０）  菌数管理が必要な水域に設置され、水中に水流を形成する水流形成部を備え、
前記水流形成部は、抗菌性を有し、対象水域の流れを仕切る仕切り部を有することを特徴とする水処理システム。
【００１６】
（１１）  当該水処理システムは、海の沿岸部近傍に設置されるものである上記（１）ないし（１０）のいずれかに記載の水処理システム。
【発明の効果】
【００１７】
本発明によれば、水域に対して水処理を効果的に行うことができる。すなわち、優れた殺菌性を発揮することができる。これにより、例えば、前記水域への大腸菌群、腸球菌および一般細菌の侵入を防止することができ、よって、前記水域を衛生上好ましい状態に維持することができる。
【図面の簡単な説明】
【００１８】
【図１】図１は、本発明の水処理システムの第１実施形態を示す部分垂直断面図である。
【図２】図２は、図１に示す水処理システムを矢印Ａから見たときの平面図である。
【図３】図３は、本発明の水処理システムの第２実施形態を示す部分垂直断面図であって、満潮時を示す図である。
【図４】図４は、本発明の水処理システムの第２実施形態を示す部分垂直断面図であって、干潮時を示す図である。
【図５】図５は、本発明の水処理システムの第３実施形態を示す部分垂直断面図である。
【発明を実施するための形態】
【００１９】
以下、本発明の水処理システムを添付図面に示す好適な実施形態に基づいて詳細に説明する。
【００２０】
＜第１実施形態＞
図１は、本発明の水処理システムの第１実施形態を示す部分垂直断面図である。図２は、図１に示す水処理システムを矢印Ａから見たときの平面図である。なお、以下では、説明の都合上、図１中の上側を「上」または「上方」、下側を「下」または「下方」と言う。また、図１および図２中の右側を「海岸側」、左側を「沖合い側」と言う。
【００２１】
また、本明細書中での「水」とは、例えば、純水だけでなく、例えば、海水や下水等、純水以外の成分を含む概念のものである。以下では、海水を例に挙げて説明する。
【００２２】
図１に示すように、水処理システム１は、海Ｑの沿岸部近傍に設置されて用いられるものである。ここで、「沿岸部近傍」とは、海岸線に沿ったある程度の広さを持った陸地の部分と、当該陸地を海水が覆う水域とを含む領域のことを言う。
【００２３】
この水処理システム１は、菌数管理が必要な水域の海中（水中）Ｑ１に設置され、水流ＷＳを形成する水流形成部２と、水流ＷＳが形成された海中Ｑ１（水域）に対して殺菌処理を施す水処理剤３１（水処理成分）を放出する放出部３と、を備えている。そして、水処理システム１よりも海岸側は、例えば、ヨット競技、サーフィン競技、水泳（マラソンスイミングやトライアスロン時の水泳を含む）等を行う競技水域Ｑ２となる。以下、水処理システム１を構成する各部について説明する。
【００２４】
図１、図２に示すように、水流形成部２は、海中Ｑ１を水平方向、すなわち、図中の左右方向に沿って仕切る仕切り部４を有している。本実施形態では、仕切り部４は、水平方向に沿って３つ配置されている。これらの仕切り部４を沖合い側から海岸側に向かって順に「仕切り部４Ａ」、「仕切り部４Ｂ」、「仕切り部４Ｃ」と言うことがある。なお、仕切り部４の設置数は、３つに限定されず、例えば、１つまたは４つ以上であってもよい。
【００２５】
図１に示すように、隣り合う仕切り部４Ａと仕切り部４Ｂとは、海中Ｑ１での配置高さが異なっている。同様に、隣り合う仕切り部４Ｂと仕切り部４Ｃも、海中Ｑ１での配置高さが異なっている。なお、仕切り部４Ａと仕切り部４Ｃとは、海中Ｑ１での配置高さがほぼ同じとなっている。
【００２６】
このように配置された仕切り部４により、沖合い側から海岸側に向かう水流ＷＳを、図１に示すように、上下方向に蛇行させることができる。これにより、海中Ｑ１を浮遊するゴミや、海面（水面）Ｑ３に浮かんだ油等の異物（以下単に「異物」と言う）を仕切り部４（特に、スクリーン４１）で捕捉することができ、沖合い側から競技水域Ｑ２に入り込むのをできる限り抑えることができる。その結果、異物に付着した菌（例えば、大腸菌群、腸球菌および一般細菌等）が競技水域Ｑ２に入り込むのをできる限り抑えることができる。
【００２７】
なお、沖合い側の仕切り部４Ａと仕切り部４Ｂとの配置間隔と、海岸側の仕切り部４Ｂと仕切り部４Ｃとの配置間隔とは、同じであってもよいし、異なっていてもよい。
【００２８】
各仕切り部４は、海中Ｑ１に上下方向に沿って設置されるスクリーン４１と、スクリーン４１の上部に接続された浮き４２と、スクリーン４１の下部に接続された錘４３とを有している。
【００２９】
スクリーン４１は、自然に生じた海水の流れに影響を与える、すなわち、仕切ることができる素材であれば特に限定されず、完全に海水を遮断する素材であってもよく、若干海水を通過させる素材であってもよい。
【００３０】
スクリーン４１としては、例えば、可撓性を有するナイロン製の線状体を編み込んで構成した編組体とすることができる。これにより、スクリーン４１は、例えば、水流ＷＳから受ける力を適度に分散させることができ、よって、海中Ｑ１を所定位置で安定して仕切ることができる。また、スクリーン４１は、水流ＷＳから力を受けても破損するのが防止される。
【００３１】
なお、スクリーン４１は、１枚の編組体で構成されていてもよいし、編組体が複数枚連結された連結体で構成されていてもよい。また、スクリーン４１の上下方向の長さは、水深に応じて変更するのが好ましい。スクリーン４１の水平方向の長さは、競技水域Ｑ２の広さに応じて変更するのが好ましい。
【００３２】
スクリーン４１の上部には、浮き４２が接続されている。浮き４２は、スクリーン４１に１つ以上配置されている。図２に示す構成では、浮き４２は、図中の上下方向に沿って等間隔に複数配置されている。これにより、スクリーン４１を海中Ｑ１に安定して浮かせることができる。
【００３３】
なお、浮き４２の形状は、本実施形態では球状をなしているが、これに限定されず、例えば、スクリーン４１の上端部に沿って連結された長尺体をなしていてもよい。
【００３４】
スクリーン４１の下部には、錘４３が接続されている。これにより、スクリーン４１は錘４３による下方への重力と、浮き４２による上方への浮力とが相まって、上下方向に広がって伸びた状態が維持される。
【００３５】
また、錘４３は、スクリーン４１に１つ以上配置されている。錘４３を複数配置する場合、各錘４３の配置箇所としては、各浮き４２の下方延長線上とするのが好ましい。これにより、海中Ｑ１でのスクリーン４１の配置位置をできる限り維持することができる。なお、錘４３の形状は、本実施形態では台形円錐状をなしているが、これに限定されない。
【００３６】
隣り合う仕切り部４Ａと仕切り部４Ｂとのうち、仕切り部４Ａは、その上部が浮き４２によって海面Ｑ３に浮いて設置されている。また、仕切り部４Ａの錘４３は、海底（水底）Ｑ４から離間している。一方、仕切り部４Ｂは、その下部が錘４３によって海底（水底）Ｑ４に接して設置されている。また、仕切り部４Ｂの浮き４２は、海面Ｑ３よりも下方に位置している、すなわち、海中Ｑ１に沈んだ状態となっている。
【００３７】
また、隣り合う仕切り部４Ｂと仕切り部４Ｃとは、仕切り部４Ｂは、前述したように、その下部が錘４３によって海底Ｑ４に接して設置されている。一方、仕切り部４Ｃは、仕切り部４Ａと同様に、その上部が浮き４２によって海面Ｑ３に浮いており、錘４３が海底Ｑ４から離間して設置されている。
【００３８】
このように各仕切り部４が設置されていることにより、上下方向に蛇行した水流ＷＳを円滑に形成することができる。
【００３９】
図１に示すように、水処理システム１では、水流ＷＳが形成された海中Ｑ１に対して処理を施す水処理剤３１を、放出部３によって放出することができる。放出部３は、水処理剤３１と、水処理剤３１を収納する袋体３２とを有している。
【００４０】
袋体３２は、メッシュ状をなすものであるのが好ましいが、これに限定されない。図示のようにメッシュ状をなす場合、そのメッシュサイズは、水処理剤のタブレットよりも十分に小さいのが好ましい。
【００４１】
また、スクリーン４１は、大腸菌群、腸球菌および一般細菌に対して抗菌性を有するのが好ましい。これにより、スクリーン４１にて捕捉した大腸菌群、腸球菌および一般細菌に対して抗菌性を発揮することができる。また、放出部３が放出する水処理剤３１との相乗効果によって、海中Ｑ１をより衛生上好ましい状態に維持することができる。
【００４２】
スクリーン４１に抗菌性を担持させる方法としては、特に限定されず、スクリーン４１
を、抗菌成分を練り込んだ材料で構成する方法や、抗菌性を有さない材料でスクリーン４１を製造し、表面に抗菌成分を含む被膜を形成する方法等が挙げられる。
【００４３】
抗菌成分としては、有機系抗菌成分であってもよく、無機系抗菌成分であってもよい。  有機系抗菌成分としては、特に限定されないが、例えば、第四級アンモニウム塩、ビグアナイド、カルボン酸、ピリジン系、イミダゾール系、トリアゾール系、トラサイド等の合成系抗菌成分やキチン・キトサン、ヒノキチオール、カテキン、アップル・フェノン、孟宗竹エキス、エコペルモンビタミンＣ等の天然系抗菌成分等が挙げられる。
【００４４】
一方、無機系抗菌成分としては、例えば、金属銀、銀塩（銀錯体を含む）等の銀系や、銅、酸化亜鉛、酸化チタン等の非銀系等が挙げられ、これらを各種ゼオライト等の担持体に担持させた構成のものが挙げられる。
【００４５】
水処理剤３１は、大腸菌群、腸球菌および一般細菌（各種雑菌等）のうちの少なくとも１つ（本実施形態では、全部）に対して殺菌効果を発揮する殺菌成分を含む。これにより、水処理剤３１は、水流ＷＳに乗って競技水域Ｑ２に向かうことができ、その途中、すなわち、競技水域Ｑ２に到達するまでの間に、海中Ｑ１内を殺菌することができる。これにより、競技水域Ｑ２は、衛生上好ましい状態が維持される。
【００４６】
また、水処理剤３１は、袋体３２に収納されている状態では、塊状、すなわち、タブレット状となっているのが好ましい。これにより、水処理剤３１は、そのままの状態で、または、水流ＷＳによって、袋体３２から海中Ｑ１に過不足なく溶け出すことができる。
【００４７】
また、各水処理剤３１の大きさは、特に限定されないが、５０ｃｍ３以上１００００ｃｍ３以下であるのが好ましく、１００ｃｍ３以上５００ｃｍ３以下であるのがより好ましい。これにより、水処理剤３１の補充作業の回数を減らすことができる。
【００４８】
水処理剤３１としては、特に限定されないが、二酸化塩素または二酸化塩素を発生させるものを含むのが好ましい。これにより、十分な殺菌力を発揮することができる。
【００４９】
水処理剤３１が二酸化塩素を含む場合、液状をなしているのが好ましい。この場合、例えば、浮き４２内に形成され、水処理剤３１を貯留する貯留部と、貯留部から浮き４２の外部に連通する放出路とを有する構成とすることができる。
【００５０】
水処理剤３１が二酸化塩素を発生させるものを含むである場合、例えば、水処理剤３１は、塩素酸、塩素酸塩、亜塩素酸および亜塩素酸塩からなる群のうちの少なくとも１つを含むのが好ましい。
【００５１】
これにより、二酸化塩素を好適に発生させることができ、優れた殺菌性を発揮することができる。特に、水処理剤３１の使用の初期の段階における殺菌性の発揮（即効性）に寄与する。
【００５２】
塩素酸塩としては、例えば、リチウム塩、ナトリウム塩、カリウム塩等のアルカリ金属塩、マグネシウム塩、カルシウム塩等のアルカリ土類金属塩、アンモニウム塩等が挙げられる。
【００５３】
亜塩素酸塩としては、例えば、リチウム塩、ナトリウム塩、カリウム塩等のアルカリ金属塩、マグネシウム塩、カルシウム塩等のアルカリ土類金属塩、アンモニウム塩等が挙げられる。
【００５４】
水処理剤３１は、上記の中でも亜塩素酸塩を含んでいるのが好ましい。これにより、保存時の高い安定性を発揮することができるとともに、他の成分と反応させて好適に二酸化塩素を発生させることができる。
【００５５】
また、亜塩素酸塩としては、亜塩素酸ナトリウム（ＮａＣｌＯ２）であるのが好ましい。亜塩素酸ナトリウムは、各種亜塩素酸塩の中でも、特に安定性が高いとともに、コスト的にも有利である。
【００５６】
また、水処理剤３１は、Ｎ−ハロゲン化ヒダントイン誘導体を含むことが好ましい。これにより、優れた殺菌性を発揮することができる。特に、遅行性の成分として機能し、殺菌性の持続性に大きく寄与する。
【００５７】
Ｎ−ハロゲン化ヒダントイン誘導体は、式（１）で示されるヒダントインの２つの窒素原子に結合する水素原子のうちの少なくとも一方がハロゲン原子で置換された骨格を有する化合物である。
【００５８】
【化１】
2020032377.tif 000003
【００５９】
なお、式（１）中Ｘ１およびＸ２は、ハロゲン原子を表し、Ｒ１およびＲ２は、アルキル基を表す。また、Ｘ１およびＸ２は、同じであってもよく異なっていてもよい。また、Ｒ１およびＲ２は、同じであってもよく異なっていてもよい。
【００６０】
Ｎ−ハロゲン化ヒダントイン誘導体の具体例としては、１−ブロモ−３−クロロ−５，５−ジメチルヒダントイン、１，３−ジブロモ−５，５−ジメチルヒダントイン、１，３−ジクロロ−５，５−ジメチルヒダントイン、１−クロロ−３−ブロモ−５，５−ジメチルヒダントイン、等が挙げられる。
【００６１】
なお、水処理剤３１は、亜塩素酸塩と、Ｎ−ハロゲン化ヒダントイン誘導体との双方を含んでいるのが好ましい。これにより、下記式（２）に示すように、Ｎ−ハロゲン化ヒダントイン誘導体由来の塩素と亜塩素酸塩とが効率よく反応し、二酸化塩素を効率よく生成することができる（二液法）。
Ｃｌ２＋２ＮａＣｌＯ２→２ＣｌＯ２＋２ＮａＣｌ…（２）
【００６２】
さらに、水処理剤３１が亜塩素酸塩と、Ｎ−ハロゲン化ヒダントイン誘導体との双方を含んでいることにより、水処理剤３１の使用の初期の段階における殺菌性と、十分な殺菌力を発揮することのできる期間・長期的な殺菌性とをより高いレベルで両立することができる。
【００６３】
なお、上記では、二酸化塩素を発生させる方法として、Ｎ−ハロゲン化ヒダントイン誘導体由来の塩素と亜塩素酸塩とが反応することにより二酸化塩素が発生するいわゆる二液法を例に挙げて説明したが、本発明ではこれに限定されず、例えば、塩素酸塩と塩酸とを反応させる酸分解法や、次亜塩素酸塩と塩酸とを反応させる三液法や、塩素酸塩と還元させる塩素酸法等を用いてもよい。
【００６４】
また、このような水処理剤３１は、大腸菌群、腸球菌および一般細菌のみならず、微生物がスクリーン４１や浮き４２や袋体３２に付着するのを防止または抑制する効果も発揮することができる。特に、袋体３２に微生物が付着するのを防止することにより、袋体３２に微生物による目詰まりが生じるのを防止または抑制することができる。よって、さらに長期にわたって十分な殺菌力を発揮することができる。
【００６５】
また、水処理剤３１は、例えば、水溶性セルロース誘導体（カルボキシメチルセルロース、ヒドロキシエチルセルロース、メチルセルロース等）等のバインダーを含んでいてもよい。これにより、水処理剤３１を所望の形状に成形しやすくなる。
【００６６】
また、海中Ｑ１には、仕切り部４の配置高さに応じて、水流ＷＳが上方から下方に向かって転換するか、または、下方から上方に向かって転換する方向転換部Ｑ５が形成される。図１に示す構成では、仕切り部４Ａおよび仕切り部４Ｃの下方には、それぞれ、水流ＷＳが下方から上方に向かって転換する方向転換部Ｑ５が形成される。仕切り部４Ｂの上方には、水流ＷＳが上方から下方に向かって転換する方向転換部Ｑ５が形成される。
【００６７】
そして、放出部３は、方向転換部Ｑ５に臨んで設置される。特に、上方に位置する仕切り部４Ａおよび仕切り部４Ｃに対しては、放出部３は、錘４３に接続されている。また、下方に位置する仕切り部４Ｂに対しては、放出部３は、浮き４２に接続されている。
【００６８】
方向転換部Ｑ５では、水流ＷＳの流速が増加され、水処理剤３１の拡散を促進することができる。よって、水処理剤３１による殺菌効果を、広範囲に効果的に及ぼすことができる。
【００６９】
なお、放出部３は、錘４３に接続されている場合、各錘４３に接続されていてもよいし、選択された所定の錘４３に接続されていてもよい。これと同様に、放出部３は、浮き４２に接続されている場合、各浮き４２に接続されていてもよいし、選択された所定の浮き４２に接続されていてもよい。
【００７０】
また、放出部３は、スクリーン４１に接続されていてもよい。この場合、放出部３の接続箇所は、スクリーン４１の上下方向または水平方向の途中とすることができる。
【００７１】
以上のように、水処理システム１では、放出部３によって、海中Ｑ１に対して優れた殺菌性を発揮することができる。すなわち、水処理を効果的に行うことができる。これにより、競技水域Ｑ２への大腸菌群、腸球菌および一般細菌の侵入を防止することができ、よって、衛生上好ましい状態の競技水域Ｑ２で各種競技を安全に行うことができる。
【００７２】
＜第２実施形態＞
図３は、本発明の水処理システムの第２実施形態を示す部分垂直断面図であって、満潮時を示す図である。図４は、本発明の水処理システムの第２実施形態を示す部分垂直断面図であって、干潮時を示す図である。
【００７３】
以下、この図を参照して本発明の水処理システムの第２実施形態について説明するが、前述した実施形態との相違点を中心に説明し、同様の事項はその説明を省略する。
本実施形態は、水流形成部の構成が異なること以外は前記第１実施形態と略同様である。
【００７４】
図３および図４に示すように、本実施形態では、仕切り部４Ｄは、スクリーン４１と浮き４２との間に設けられたメッシュ部材４４を有している。また、本実施形態では、袋体３２は、浮き４２に連結されている。
【００７５】
メッシュ部材４４は、例えば金網のように海水を通過させるとともに、スクリーン４１よりも剛性が高い部材で構成されている。このため、仕切り部４Ｄでは、海面Ｑ３の位置の変化によって、スクリーン４１が優先的に撓んで変化するよう構成されている。
【００７６】
図３に示す満潮時では、浮き４２が海面Ｑ３に位置し、錘４３が海底Ｑ４に位置しており、かつ、スクリーン４１は、張った状態となっている。この状態では、メッシュ部材４４を海水が通過すると、水流ＷＳが形成される。このため、水流ＷＳが形成された海中Ｑ１に対して処理を施す水処理剤３１を、放出部３によって放出することができる。
【００７７】
一方、図４に示す干潮時には、浮き４２が海面Ｑ３に位置し、錘４３が海底Ｑ４に位置しており、かつ、スクリーン４１は、撓んだ状態となっている。なお、この状態では、メッシュ部材４４は、撓んでいないか、スクリーン４１の撓みよりも少ない撓み量となっている。
【００７８】
このため、海面Ｑ３の位置が低くなったとしても、スクリーン４１によって海中Ｑ１を仕切ることができるとともに、メッシュ部材４４によって水流ＷＳを形成することができる。
【００７９】
このように、本実施形態では、海の満ち引きによって海面Ｑ３の位置が変化するにも関わらず、海中Ｑ１を仕切るとともに水流ＷＳを形成することができる。よって、海の満ち引きの影響を受けることなく、第１実施形態と同様の効果をさらに確実に発揮することができる。
【００８０】
＜第３実施形態＞
図５は、本発明の水処理システムの第３実施形態を示す部分垂直断面図である。
【００８１】
以下、この図を参照して本発明の水処理システムの第３実施形態について説明するが、前述した実施形態との相違点を中心に説明し、同様の事項はその説明を省略する。
【００８２】
本実施形態は、放出部が省略され、かつ、水流形成部が抗菌性を有すること以外は前記第１実施形態と略同様である。
【００８３】
本実施形態の水処理システム１は、菌数管理が必要な水域に設置され、水中に水流を形成する水流形成部２を備え、水流形成部２は、抗菌性を有し、対象水域の流れを仕切る仕切り部４を有する。また、本実施形態では、スクリーン４１’が抗菌性を有する。
【００８４】
また、スクリーン４１’は、大腸菌群、腸球菌および一般細菌に対して抗菌性を有するのが好ましい。これにより、スクリーン４１’にて捕捉した大腸菌群、腸球菌および一般細菌に対して抗菌性を発揮することができる。
【００８５】
スクリーン４１’に抗菌性を担持させる方法としては、特に限定されず、スクリーン４１’を、抗菌成分を練り込んだ材料で構成する方法や、抗菌性を有さない材料でスクリーン４１’を製造し、表面に抗菌成分を含む被膜を形成する方法等が挙げられる。
【００８６】
抗菌成分としては、有機系抗菌成分であってもよく、無機系抗菌成分であってもよい。  有機系抗菌成分としては、特に限定されないが、例えば、第四級アンモニウム塩、ビグアナイド、カルボン酸、ピリジン系、イミダゾール系、トリアゾール系、トラサイド等の合成系抗菌成分やキチン・キトサン、ヒノキチオール、カテキン、アップル・フェノン、孟宗竹エキス、エコペルモンビタミンＣ等の天然系抗菌成分等が挙げられる。
【００８７】
一方、無機系抗菌成分としては、例えば、金属銀、銀塩（銀錯体を含む）等の銀系や、銅、酸化亜鉛、酸化チタン等の非銀系等が挙げられ、これらを各種ゼオライト等の担持体に担持させた構成のものが挙げられる。
【００８８】
このような水処理システム１によれば、スクリーン４１’によって大腸菌群、腸球菌および一般細菌を捕捉することができ、また、スクリーン４１’が捕捉した大腸菌群、腸球菌および一般細菌を減少させることができる。すなわち、水処理を効果的に行うことができる。その結果、競技水域Ｑ２への大腸菌群、腸球菌および一般細菌の侵入を防止することができ、衛生上好ましい状態の競技水域Ｑ２で各種競技を安全に行うことができる。
【００８９】
以上、本発明の水処理システムを図示の実施形態について説明したが、本発明は、これに限定されるものではなく、水処理システムを構成する各部は、同様の機能を発揮し得る任意の構成のものと置換することができる。また、任意の構成物が付加されていてもよい。
【００９０】
また、本発明の水処理システムは、海で用いられる場合について説明したが、これに限定されず、例えば、川、用水路、池、湖や、プール等の菌数管理が必要とされる貯水槽にも適用することができる。
【００９１】
また、本発明の水処理システムは、海における競技領域に対して用いられる場合について説明したが、これに限定されず、例えば、海水浴場に対しても用いることができる。
【００９２】
また、水処理剤については、大腸菌群、腸球菌および一般細菌に対して殺菌効果を発揮するものを一例として説明したが、これに限定されず、大腸菌群、腸球菌および一般細菌以外の菌に対して殺菌効果を発揮するものや、その他、浮遊物質を沈殿させる機能を有する水処理剤や、消臭機能を有する水処理剤や、微生物の死骸を除去する機能を有する水処理剤等が挙げられる。
【００９３】
また、水処理剤の状態は、塊状、すなわち、タブレットであったが、これに限定されず、例えば、粉末状であってもよい。
【００９４】
また、前記各実施形態では、水処理剤を水の処理に用いる場合について説明したが、本発明ではこれに限定されず、例えば、水域の汚染の予防に用いてもよい。
【符号の説明】
【００９５】
１            水処理システム
２            水流形成部
３            放出部
３１          水処理剤
３２          袋体
４            仕切り部
４Ａ            仕切り部
４Ｂ            仕切り部
４Ｃ            仕切り部
４Ｄ            仕切り部
４１          スクリーン
４１’        スクリーン
４２          浮き
４３          錘
４４          メッシュ部材
Ｑ            海
ＷＳ          水流
Ｑ１          海中
Ｑ２          競技水域
Ｑ３          海面（水面）
Ｑ４          海底（水底）
Ｑ５          方向転換部
【図１】
2020032377.tif 000004
【図２】
2020032377.tif 000005
【図３】
2020032377.tif 000006
【図４】
2020032377.tif 000007
【図５】
2020032377.tif 000008
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
菌数管理が必要な水域に設置され、予め水中に形成されている水流の方向を変更して新たな水流を形成する水流形成部と、
前記新たな水流が形成された前記水域に対して殺菌処理を施す水処理成分を放出する放出部と、を備え、
前記水流形成部は、対象水域の流れを仕切る仕切り部を有し、
前記仕切り部は、上下方向に沿って設置されるスクリーンと、前記スクリーンの上部に接続された浮きと、前記スクリーンの下部に接続された錘とを有することを特徴とする水処理システム。
【請求項２】
前記水域には、前記新たな水流が上方から下方に向かって転換するか、または、下方から上方に向かって転換する方向転換部が形成され、
前記放出部は、前記方向転換部に臨んで設置される請求項１に記載の水処理システム。
【請求項３】
前記仕切り部は、水平方向に沿って複数配置されており、
隣り合う前記仕切り部同士は、前記水中での配置高さが異なる請求項１または２に記載の水処理システム。
【請求項４】
隣り合う前記仕切り部同士のうちの一方の前記仕切り部は、その上部が水面に浮いて設置され、他方の前記仕切り部は、その下部が水底に接して設置されている請求項３に記載の水処理システム。
【請求項５】
隣り合う前記仕切り部同士のうちの一方の前記仕切り部は、その上部が水面に浮いて設置され、他方の前記仕切り部は、その下部が水底に接して設置されており、
前記放出部は、前記一方の仕切り部に対しては、前記錘に接続され、前記他方の仕切り部に対しては、前記浮きに接続される請求項１ないし４のいずれか１項に記載の水処理システム。
【請求項６】
前記水処理成分は、一般細菌に対して殺菌効果を発揮する殺菌成分を含む請求項１ないし５のいずれか１項に記載の水処理システム。
【請求項７】
前記一般細菌は、大腸菌群または腸球菌である請求項６に記載の水処理システム。
【請求項８】
前記殺菌成分は、二酸化塩素を含むか、または、二酸化塩素を発生させるものである請求項６または７に記載の水処理システム。
【請求項９】
当該水処理システムは、海の沿岸部近傍に設置されるものである請求項１ないし８のいずれか１項に記載の水処理システム。
【手続補正２】
【補正対象書類名】明細書
【補正対象項目名】０００６
【補正方法】変更
【補正の内容】
【０００６】
このような目的は、下記（１）〜（９）の本発明により達成される。
（１）  菌数管理が必要な水域に設置され、予め水中に形成されている水流の方向を変更して新たな水流を形成する水流形成部と、
前記新たな水流が形成された前記水域に対して殺菌処理を施す水処理成分を放出する放出部と、を備え、
前記水流形成部は、対象水域の流れを仕切る仕切り部を有し、
前記仕切り部は、上下方向に沿って設置されるスクリーンと、前記スクリーンの上部に接続された浮きと、前記スクリーンの下部に接続された錘とを有することを特徴とする水処理システム。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
（２）  前記水域には、前記新たな水流が上方から下方に向かって転換するか、または、下方から上方に向かって転換する方向転換部が形成され、
前記放出部は、前記方向転換部に臨んで設置される上記（１）に記載の水処理システム。
【手続補正５】
【補正対象書類名】明細書
【補正対象項目名】０００９
【補正方法】変更
【補正の内容】
【０００９】
（３）  前記仕切り部は、水平方向に沿って複数配置されており、
隣り合う前記仕切り部同士は、前記水中での配置高さが異なる上記（１）または（２）に記載の水処理システム。
【手続補正６】
【補正対象書類名】明細書
【補正対象項目名】００１０
【補正方法】変更
【補正の内容】
【００１０】
（４）  隣り合う前記仕切り部同士のうちの一方の前記仕切り部は、その上部が水面に浮いて設置され、他方の前記仕切り部は、その下部が水底に接して設置されている上記（３）に記載の水処理システム。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
（５）  隣り合う前記仕切り部同士のうちの一方の前記仕切り部は、その上部が水面に浮いて設置され、他方の前記仕切り部は、その下部が水底に接して設置されており、
前記放出部は、前記一方の仕切り部に対しては、前記錘に接続され、前記他方の仕切り部に対しては、前記浮きに接続される上記（１）ないし（４）のいずれかに記載の水処理システム。
【手続補正９】
【補正対象書類名】明細書
【補正対象項目名】００１３
【補正方法】変更
【補正の内容】
【００１３】
（６）  前記水処理成分は、一般細菌に対して殺菌効果を発揮する殺菌成分を含む上記（１）ないし（５）のいずれかに記載の水処理システム。
（７）  前記一般細菌は、大腸菌群または腸球菌である上記（６）に記載の水処理システム。
【手続補正１０】
【補正対象書類名】明細書
【補正対象項目名】００１４
【補正方法】変更
【補正の内容】
【００１４】
（８）  前記殺菌成分は、二酸化塩素を含むか、または、二酸化塩素を発生させるものである上記（６）または（７）に記載の水処理システム。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
（９）  当該水処理システムは、海の沿岸部近傍に設置されるものである上記（１）ないし（８）のいずれかに記載の水処理システム。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
菌数管理が必要な水域に設置され、予め水中に形成されている水流の方向を変更して新たな水流を形成する水流形成部と、
前記新たな水流が形成された前記水域に対して殺菌処理を施す水処理成分を放出する放出部と、を備え、
前記水流形成部は、水平方向に沿って複数配置され、対象水域の流れを仕切る仕切り部を有し、
前記仕切り部は、上下方向に沿って設置されるスクリーンと、前記スクリーンの上部に接続された浮きと、前記スクリーンの下部に接続された錘とを有し、
隣り合う前記仕切り部同士のうちの一方の前記仕切り部は、その上部が水面に浮いて設置され、他方の前記仕切り部は、その下部が水底に接して設置されており、
前記放出部は、前記一方の仕切り部に対しては、前記錘に接続され、前記他方の仕切り部に対しては、前記浮きに接続されることを特徴とする水処理システム。
【請求項２】
前記水域には、前記新たな水流が上方から下方に向かって転換するか、または、下方から上方に向かって転換する方向転換部が形成され、
前記放出部は、前記方向転換部に臨んで設置される請求項１に記載の水処理システム。
【請求項３】
隣り合う前記仕切り部同士は、前記水中での配置高さが異なる請求項１または２に記載の水処理システム。
【請求項４】
菌数管理が必要な水域に設置され、予め水中に形成されている水流の方向を変更して新たな水流を形成する水流形成部と、
前記新たな水流が形成された前記水域に対して殺菌処理を施す水処理成分を放出する放出部と、を備え、
前記水流形成部は、対象水域の流れを仕切る仕切り部を有し、
前記仕切り部は、上下方向に沿って設置されるスクリーンと、前記スクリーンの上部に接続された浮きと、前記スクリーンの下部に接続された錘とを有し、
前記水処理成分は、一般細菌に対して殺菌効果を発揮する殺菌成分を含み、
前記殺菌成分は、二酸化塩素を含むか、または、二酸化塩素を発生させるものであることを特徴とする水処理システム。
【請求項５】
前記一般細菌は、大腸菌群または腸球菌である請求項４に記載の水処理システム。
【請求項６】
当該水処理システムは、海の沿岸部近傍に設置されるものである請求項１ないし５のいずれか１項に記載の水処理システム。
【手続補正２】
【補正対象書類名】明細書
【補正対象項目名】０００６
【補正方法】変更
【補正の内容】
【０００６】
このような目的は、下記（１）〜（６）の本発明により達成される。
（１）菌数管理が必要な水域に設置され、予め水中に形成されている水流の方向を変更して新たな水流を形成する水流形成部と、
前記新たな水流が形成された前記水域に対して殺菌処理を施す水処理成分を放出する放出部と、を備え、
前記水流形成部は、水平方向に沿って複数配置され、対象水域の流れを仕切る仕切り部を有し、
前記仕切り部は、上下方向に沿って設置されるスクリーンと、前記スクリーンの上部に接続された浮きと、前記スクリーンの下部に接続された錘とを有し、
隣り合う前記仕切り部同士のうちの一方の前記仕切り部は、その上部が水面に浮いて設置され、他方の前記仕切り部は、その下部が水底に接して設置されており、
前記放出部は、前記一方の仕切り部に対しては、前記錘に接続され、前記他方の仕切り部に対しては、前記浮きに接続されることを特徴とする水処理システム。
【手続補正３】
【補正対象書類名】明細書
【補正対象項目名】０００９
【補正方法】変更
【補正の内容】
【０００９】
（３）  隣り合う前記仕切り部同士は、前記水中での配置高さが異なる上記（１）または（２）に記載の水処理システム。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
（４）菌数管理が必要な水域に設置され、予め水中に形成されている水流の方向を変更して新たな水流を形成する水流形成部と、
前記新たな水流が形成された前記水域に対して殺菌処理を施す水処理成分を放出する放出部と、を備え、
前記水流形成部は、対象水域の流れを仕切る仕切り部を有し、
前記仕切り部は、上下方向に沿って設置されるスクリーンと、前記スクリーンの上部に接続された浮きと、前記スクリーンの下部に接続された錘とを有し、
前記水処理成分は、一般細菌に対して殺菌効果を発揮する殺菌成分を含み、
前記殺菌成分は、二酸化塩素を含むか、または、二酸化塩素を発生させるものであることを特徴とする水処理システム。
（５）  前記一般細菌は、大腸菌群または腸球菌である上記（４）に記載の水処理システム。
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】変更
【補正の内容】
【００１６】
（６）  当該水処理システムは、海の沿岸部近傍に設置されるものである上記（１）ないし（５）のいずれかに記載の水処理システム。